(57)【要約】      （修正有）【課題】整流回路を具える発光ダイオードパッケージ構造を提供する。【解決手段】発光ダイオード１を具え、発光ダイオードは、フレームユニット１１、及びフレームユニットを覆い包むパッケージ構造１２により構成し、フレームユニットはメインフレーム１１１及びメインフレームの二側にそれぞれ設置する第一サブフレーム１１２と第二サブフレーム１１３を含み、メインフレーム上に、正・負極を有する発光チップ１３を設け、整流回路２を具え、整流回路はダイオードにより組成し、そのダイオードは低パワー耐高電圧のダイオードとし、ダイオードを発光チップの正・負極にそれぞれリードで電気的に接続した整流回路を具えるパッケージ構造で、整流回路で一般供給電力の交流電源を直流の形態で出力し、発光ダイオードを発光させることができ、一般家庭の電源に直接接続して使用でき、別途整流装置を装着する必要が無くなる。【選択図】  図１
0003100606.tif 000002
【実用新案登録請求の範囲】
【請求項１】
発光ダイオードを具え、発光ダイオードは、フレームユニット、及びフレームユニットを覆い包むパッケージ構造により構成し、フレームユニットはメインフレーム及びメインフレームの二側にそれぞれ設置する第一サブフレームと第二サブフレームを含み、メインフレーム上に、正・負極を有する発光チップを設け、
整流回路を具え、整流回路はダイオードにより組成し、そのダイオードは低パワー耐高電圧のダイオードとし、ダイオードを第一サブフレームと第二サブフレーム上にそれぞれ設置し、ダイオードを発光チップの正・負極にそれぞれリードで電気的に接続したことを特徴とする整流回路を具える発光ダイオードのパッケージ構造。
【請求項２】
前記整流回路を、ブリッジ式整流回路の形態とできるようにして成ることを特徴とする請求項１記載の整流回路を具える発光ダイオードのパッケージ構造。
【請求項３】
発光ダイオードを具え、該発光ダイオードはフレームユニット及びフレームユニットを覆い包むパッケージ構造により構成し、フレームユニットはメインフレーム及びメインフレームの二側にそれぞれ設置する第一サブフレーム及び第二サブフレームを含み、メインフレーム上にＰ、Ｎ電極を形成済みの基板を設け、基板上に正・負極を有する発光チップを設置し、発光チップの正・負極を基板のＰ・Ｎ極上に直接対応させ、
整流回路を具え、該整流回路はダイオードにより組成し、ダイオードは低パワー耐高電圧のダイオードとし、ダイオードを上述の基板内に設置し、且つ基板内のダイオードを、第一サブフレーム及び第二サブフレーム上にそれぞれリードで電気的に接続したことを特徴とする整流回路を具える発光ダイオードのパッケージ構造。
【請求項４】
前記整流回路をブリッジ式整流回路の形態とできるようにして成ることを特徴とする請求項３記載の整流回路を具える発光ダイオードのパッケージ構造。
【考案の詳細な説明】
【技術分野】
【０００１】
本考案は整流回路を具える発光ダイオードのパッケージ構造に関し、特に、整流回路によって一般供給電力の交流電源を、直流の形態で出力することができ、発光ダイオードを発光させ、一般家庭の電気に直接接続して使用でき、整流装置を別途装着する必要がない整流回路を具える発光ダイオードのパッケージ構造に関する。
【背景技術】
【０００２】
一般に発光ダイオードを交流電源で照明に使用する際には、公知の発光ダイオードはわずか２〜４Ｖの電圧が必要なだけで、交流電源は１１０Ｖであるため、先に交流電源を整流、降圧を経なければ、公知の発光ダイオードを使用できない。一般の発光ダイオードは整流、降圧は発光ダイオードの外部に外付けする形態で設置している。
【０００３】
従来公知の発光ダイオードは、第８図で示すように、多数の発光ダイオード単体９０を回路板９１上に設置し、回路板９１にレギュレータ９２及び整流装置９３を接続して、交流電源を直流の形態にして出力し、レギュレータ９２と整流装置９３を経て多数個の発光ダイオード単体９０を発光させる。多数個の発光ダイオード単体９０、回路板９１、レギュレータ９２及び整流装置９３をケーシング９４内に設けて照明装置９を形成できる。（回路図を図９に示す。）(特許文献１等)
【０００４】
上記の照明装置９は、多数個の発光ダイオード単体９０により明るさを増して照明の用に供給することができる。しかし、多数個の発光ダイオード単体９０を直接交流電源に使用することはできないため、使用時には必ずレギュレータ９２と整流装置９３を増設して交流を直流に変換しなければならない。そのため、通常は照明装置９の体積が大きくなる上、電流は回路のロスが出やすく、また、多数個の発光ダイオード単体９０、回路板９１、レギュレータ９２及び整流装置９３を構成部品とすると、コストも高くなり、公知の照明装置９は実際の使用状況の要求に見合わない。
【特許文献１】特開２００１−１５２７８号公報
【考案の開示】
【考案が解決しようとする課題】
【０００５】
本考案は、整流回路によって一般供給電力の交流電源を直流の形態で出力して発光ダイオードを発光させ、家庭用の電源に直接接続して使用することができ、整流装置を別途装着する必要がない、整流回路を具える発光ダイオードパッケージ構造の提供を課題とする。
【課題を解決するための手段】
【０００６】
上記課題を解決するため、請求項１の考案は、発光ダイオードを具え、発光ダイオードは、フレームユニット、及びフレームユニットを覆い包むパッケージ構造により構成し、フレームユニットはメインフレーム及びメインフレームの二側にそれぞれ設置する第一サブフレームと第二サブフレームを含み、メインフレーム上に、正・負極を有する発光チップを設け、整流回路を具え、整流回路はダイオードにより組成し、そのダイオードは低パワー耐高電圧のダイオードとし、ダイオードを第一サブフレームと第二サブフレーム上にそれぞれ設置し、ダイオードを発光チップの正、負極にそれぞれリードで電気的に接続したことを特徴とする整流回路を具える発光ダイオードのパッケージ構造である。
請求項２の考案は、前記整流回路を、ブリッジ式整流回路の形態とできるようにして成ることを特徴とする請求項１記載の整流回路を具える発光ダイオードのパッケージ構造である。
【０００７】
請求項３の考案は、発光ダイオードを具え、該発光ダイオードはフレームユニット及びフレームユニットを覆い包むパッケージ構造により構成し、フレームユニットはメインフレーム及びメインフレームの二側にそれぞれ設置する第一サブフレーム及び第二サブフレームを含み、メインフレーム上にＰ・Ｎ電極を形成済みの基板を設け、基板上に正・負極を有する発光チップを設置し、発光チップの正・負極を基板のＰ・Ｎ極上に直接対応させ、整流回路を具え、該整流回路はダイオードにより組成し、ダイオードは低パワー耐高電圧のダイオードとし、ダイオードを上述の基板内に設置し、且つ基板内のダイオードを、第一サブフレーム及び第二サブフレーム上にそれぞれリードで電気的に接続したことを特徴とする整流回路を具える発光ダイオードのパッケージ構造である。
請求項４の考案は、前記整流回路をブリッジ式整流回路の形態とできるようにして成ることを特徴とする請求項３記載の整流回路を具える発光ダイオードのパッケージ構造である。
【０００８】
すなわち、本考案の整流回路を具える発光ダイオードパッケージ構造は、発光ダイオードを利用し、発光ダイオードは、フレームユニットと、フレームユニットを覆い包むパッケージ構造から成る。フレームユニットは、メインフレームと、メインフレームの二側にそれぞれ設置する第一サブフレームと第二サブフレームを含み、メインフレーム上には正・負極を有する発光チップを設ける。
整流回路を設け、整流回路はダイオードで組成し、ダイオードは低パワー耐高電圧のダイオードとし、ダイオードを第一サブフレームと第二サブフレーム上にそれぞれ設置し、ダイオードは発光チップの正・負極にリードで電気的に接続する。
【０００９】
本考案は、また、発光ダイオードを利用して、発光ダイオードはフレームユニットと、フレームユニットを覆い包むパッケージ構造から成り、フレームユニットはメインフレーム、メインフレームの二側にそれぞれ設置する第一サブフレームと第二サブフレームを含み、メインフレーム上にＰ、Ｎ電極を形成済みの基板を設け、基板上に正・負極を有する発光チップを設置し、発光チップの正・負極を基板のＰ・Ｎ極に直接対応させることもできる。
整流回路を設け、整流回路はダイオードで組成し、ダイオードは低パワー耐高電圧のダイオードとし、ダイオードを上述の基板内に設置し、基板内のダイオードは第一サブフレームと第二サブフレームにそれぞれリードで電気的に接続するものである。  
【考案の効果】
【００１０】
本考案は、整流回路によって一般供給電力の交流電源を直流の形態で出力して発光ダイオードを発光させることができるため、家庭用の電源に直接接続でき、別途レギュレータと整流装置を装着する必要がない。
【考案を実施するための最良の形態】
【００１１】
本考案の好適な実施例を図面に沿って説明する。図１〜６に示すように、本考案の実施例は、整流装置を具える発光ダイオードのパッケージ構造であり、発光ダイオード１及び発光ダイオード１内部に設置する整流回路２を含み、これにより、整流回路２を内包する発光ダイオード単体１を形成する。整流回路２によって、一般供給電力の交流電源を直流の形態で出力して発光ダイオードを発光させることができるため、本考案は一般の家庭用電源に直接接続して使用でき、整流装置を別途装着する必要がない。
【００１２】
上述の発光ダイオード１は、フレームユニット１１及びフレームユニット１１を覆い包むパッケージ構造１２から成る。フレームユニット１１はメインフレーム１１１、メインフレーム１１１の二側に設置する第一サブフレーム１１２と第二サブフレーム１１３を含み、メインフレーム１１１上に、正・負極を有する発光チップ１３を設け、発光チップ１３の使用電圧は１１０Ｖ付近である（発光ダイオード電圧は１００−１０７Ｖである）。
【００１３】
整流回路２は、ダイオードで組成し、ダイオードは低パワー耐高電圧のダイオード（例えば、１０−５０ｍＡ  Ｖｆ＝０．４−０．７ｖ  Ｖｒ＝２５０Ｖ）とし、ダイオードを第一サブフレーム１１２と第二サブフレーム１１３上にそれぞれ設置し、ダイオードは発光チップ１３の正・負極にそれぞれリード２１で電気的に接続する（回路図を図２に示す）。
このように上記の構造により整流回路を具える発光ダイオードの新しいパッケージ構造を構成する。
【００１４】
使用時には、図３に示すように、実際の状況に応じて、抵抗３を増設して電流を調節することができる。このようにして、使用者は一般家庭用の交流電源４に接続して使用することができるようになる。整流回路２及び抵抗３の組み合わせにより、一般供給電力の交流電源を直流の形態で出力でき、整流回路２を経て出力する電源を発光ダイオード１が必要とする電源に符合させ、発光ダイオード１の発光チップ１３を発光させることができる。
図４に示すように、本考案は可変抵抗５を設けることができ、発光ダイオード１が必要とする電流に調整し、使用者は必要に応じて発光ダイオードの明るさを調整することができるようになる。
【００１５】
また、図５に示すように、整流回路２ａは、ブリッジ式整流回路２ａの形態にすることもできる。四組のダイオードに発光ダイオード１を組み合わせて成り、図６に示すように、本考案をブリッジ式整流回路２ａの形態で使用するとき、実際の状況に応じて、抵抗３を増設して電流を調節することができる。このようにして、使用者は同様に、一般家庭用の交流電源４に接続して使用することができるようになる。整流回路２及び抵抗３の組み合わせにより、一般供給電力の交流電源を直流の形態で出力でき、整流回路２を経て出力する電源を発光ダイオード１が必要とする電源に符合させ、発光ダイオード１の発光チップ１３を発光させることができる。
【００１６】
図７に示すように、本考案の別の実施例では、発光ダイオード６を設け、発光ダイオード６は、フレームユニット６１及びフレームユニット６１を覆い包むパッケージ構造２から成る。フレームユニット６１はメインフレーム６１１、及びメインフレーム６１１の二側にそれぞれ設置する第一サブフレーム６１２と第二サブフレーム６１３を含む。メインフレーム６１１上に、Ｐ・Ｎ電極７１・７２を形成済みの基板７を設け、基板７上に、正・負極を有する発光チップ６２を設置し、発光チップ６２の正、負極を基板７のＰ・Ｎ電極７１・７２に直接対応させる。発光チップ６２の使用電圧は１１０Ｖに近い（発光ダイオードの電圧は１００−１０７Ｖ）。
【００１７】
整流回路８を設ける。整流回路８はダイオードで組成し、ダイオードは低パワー耐高電圧のダイオード（例えば、１０−５０ｍＡ  Ｖｆ＝０．４−０．７ｖ  Ｖｒ＝２５０Ｖ）とし、ダイオードを基板７内に設置し、基板７内のダイオードをそれぞれリード８１で第一サブフレーム６１２と第二サブフレーム６１３に電気的に接続する。
整流回路８はまた、ブリッジ式整流回路の形態とすることもできる。
このようにして、整流回路８を内包する発光ダイオード単体６を構成し、整流回路８が一般供給電力の交流電源を直流の形態で出力することにより、発光ダイオード６の発光チップ６２を発光させることができ、本考案を一般家庭用電源に直接接続して使用できるようになり、別途整流装置を装着する必要が無くなる。
【図面の簡単な説明】
【００１８】
【図１】本考案の実施例の断面状態略図である。
【図２】本考案の実施例の回路図である。
【図３】本考案の実施例の使用状態の回路図である。
【図４】本考案の実施例の別の使用状態の回路図である。
【図５】本考案の実施例の別の整流回路の回路図である。
【図６】本考案の実施例の別の整流回路の使用状態の回路図である。
【図７】本考案の実施例の別の実施例の断面状態略図である。
【図８】従来公知の断面状態略図である。
【図９】従来公知の回路図である。
【符号の説明】
【００１９】
１          発光ダイオード
１１        フレームユニット
１１１            メインフレーム
１１２            第一サブフレーム
１１３            第二サブフレーム
１２        パッケージ構造
１３        発光チップ
２、２ａ    整流回路
２１        リード
３          抵抗
４          交流電源
５          可変抵抗
６          発光ダイオード
６１        フレームユニット
６１１            メインフレーム
６１２            第一サブフレーム
６１３            第二サブフレーム
６２        発光チップ
７          基板
７１、７２  Ｐ、Ｎ電極
８          整流回路
８１        リード
９          照明装置
９０        発光ダイオード単体
９１        回路板
９２        レギュレータ
９３        整流装置
９４        ケーシング
【図１】
0003100606.tif 000003
【図２】
0003100606.tif 000004
【図３】
0003100606.tif 000005
【図４】
0003100606.tif 000006
【図５】
0003100606.tif 000007
【図６】
0003100606.tif 000008
【図７】
0003100606.tif 000009
【図８】
0003100606.tif 000010
【図９】
0003100606.tif 000011